(57)【要約】【課題】薄型平面テレビを美しく装飾する装置を提供する。【解決手段】  薄型平面テレビ３を覆い隠す装飾物１と、装飾物１を移動させる支持機構２とからなり、装飾物１は額縁やその他の視覚効果を有する芸術品とすることができ、薄型平面テレビ３を使用しないときに美しく装飾し、薄型平面テレビ３の設置が室内装飾に影響を与えないようにする。【選択図】  図１
0003115113.tif 000002
【実用新案登録請求の範囲】
【請求項１】
一側に薄型平面テレビが設置され、他側に装飾物が設置され、前記薄型平面テレビの装飾を行うことを特徴とする固定接合装置。
【請求項２】
前記固定接合装置は枠フレームであることを特徴とする請求項１記載の固定接合装置。
【請求項３】
前記固定接合装置はジョイントであることを特徴とする請求項１記載の固定接合装置。
【請求項４】
前記ジョイントは、前記薄型平面テレビの背面に位置することを特徴とする請求項３記載の固定接続装置。
【請求項５】
前記装飾物は、額縁、絵またはその他の鑑賞用の芸術品であることを特徴とする請求項１記載の固定接合装置。
【請求項６】
さらに二つの懸垂アームを含み、それぞれ前記枠フレームの両側に設置され、前記枠フレームは前記二つの懸垂アームによって固定支持または旋回することを特徴とする請求項２記載の固定接合装置。
【請求項７】
さらに支持機構を含み、前記固定接合装置の固定支持および旋回を行い、前記支持機構は、支持アームと、前後端がそれぞれ前記装飾物および前記薄型平面テレビに固定され、内部に横向きの滑道を有する滑動部材と、固定板とを備え、
前記支持アームの一端は前記固定板と接続されて壁面に固定され、前記支持アームの他端は直立しており、その端部は柱ヘッドを有し、前記滑動部材内部の前記横向きの滑道に嵌入されることによって、前記滑動部材は前記柱ヘッドを接点として左右に滑動でき、前記装飾物および前記薄型平面テレビの前後位置の調整に便利になっていることを特徴とする請求項１記載の固定接続装置。
【請求項８】
前記支持アームはＬ型であることを特徴とする請求項７記載の固定接続装置。
【請求項９】
支持アームと、内部に横向きの滑道を有する滑動部材と、固定板とを備え、
前記支持アームの一端は前記固定板と接続されて壁面に固定され、前記支持アームの他端は直立しており、その端部は柱ヘッドを有し、前記滑動部材内部の前記横向きの滑道に嵌入されることによって、前記滑動部材は前記柱ヘッドを接点として左右に滑動でき、前記滑動部材の前端および／または後端はそれぞれ装飾物および／または薄型平面テレビと固定でき、前記装飾物および前記薄型平面テレビの前後位置の調整に便利になっていることを特徴とする支持機構。
【請求項１０】
前記支持アームはＬ型であることを特徴とする請求項８記載の支持機構。
【請求項１１】
前記装飾物は芸術品であることを特徴とする請求項９記載の支持機構。
【請求項１２】
前記芸術品は、額縁、絵またはその他の鑑賞用の芸術品であることを特徴とする請求項１１記載の支持機構。
【考案の詳細な説明】
【技術分野】
【０００１】
本考案は薄型平面テレビの装飾装置に関し、薄型平面テレビを覆い隠して美しく装飾することによって、室内全体の美観性を保つ装置に関する。
【背景技術】
【０００２】
科学技術の発展に伴い、平面テレビは従来のブラウン管式、平面ブラウン管式から現在の液晶テレビへと進化し、テレビ画面の大きさも益々大きくなっており、ホームシアターも現実のものとなっている。
【０００３】
家の中に大型の薄型平面テレビを設置することは、優れた映像効果を享受できるだけでなく、経済力を示すことにもなる。しかし残念なことに、科学技術の産物である薄型平面テレビを家の中に設置した場合、室内の設計とつり合わないことがあり、室内装飾全体に悪い影響を及ぼすことがある。
【０００４】
そこで本考案の考案者はこの欠点に鑑み、長期に渡る研究によってついに本考案を案出した。
【考案の開示】
【考案が解決しようとする課題】
【０００５】
本考案の第１の目的は、薄型平面テレビを使用しないときの装飾を行い、室内全体の美観性に影響を与えない薄型平面テレビの装飾装置を提供することにある。
本考案の第２の目的は、装飾物および装飾物の適当な移動または懸垂固定を行う支持機構を有し、装飾物を薄型平面テレビの前方または後方に位置させることができ、薄型平面テレビを美しく覆い隠すことができる薄型平面テレビの装飾装置を提供することにある。
本考案の第３の目的は、実施時、装飾物を移動させるか、または薄型平面テレビと装飾物とを同時に移動または回転させるだけで実施でき、多種の機能を有する薄型平面テレビの装飾装置を提供することにある。
【課題を解決するための手段】
【０００６】
上記課題を解決するため、請求項１の考案は、一側に薄型平面テレビが設置され、他側に装飾物が設置され、薄型平面テレビの装飾を行うことを特徴とする固定接合装置である。
【０００７】
請求項２の考案は、固定接合装置は枠フレームであることを特徴とする請求項１記載の固定接合装置である。
【０００８】
請求項３の考案は、固定接合装置はジョイントであることを特徴とする請求項１記載の固定接合装置である。
【０００９】
請求項４の考案は、ジョイントは、薄型平面テレビの背面に位置することを特徴とする請求項３記載の固定接続装置である。
【００１０】
請求項５の考案は、装飾物は、額縁、絵またはその他の鑑賞用の芸術品であることを特徴とする請求項１記載の固定接合装置である。
【００１１】
請求項６の考案は、さらに二つの懸垂アームを含み、それぞれ枠フレームの両側に設置され、枠フレームは二つの懸垂アームによって固定支持または旋回することを特徴とする請求項２記載の固定接合装置である。
【００１２】
請求項７の考案は、さらに支持機構を含み、固定接合装置の固定支持および旋回を行い、支持機構は、支持アームと、前後端がそれぞれ装飾物および薄型平面テレビに固定され、内部に横向きの滑道を有する滑動部材と、固定板とを備え、支持アームの一端は固定板と接続されて壁面に固定され、支持アームの他端は直立しており、その端部は柱ヘッドを有し、滑動部材内部の横向きの滑道に嵌入されることによって、滑動部材は柱ヘッドを接点として左右に滑動でき、装飾物および薄型平面テレビの前後位置の調整に便利になっていることを特徴とする請求項１記載の固定接続装置である。
【００１３】
請求項８の考案は、支持アームはＬ型であることを特徴とする請求項７記載の固定接続装置である。
【００１４】
請求項９の考案は、支持アームと、内部に横向きの滑道を有する滑動部材と、固定板とを備え、支持アームの一端は固定板と接続されて壁面に固定され、支持アームの他端は直立しており、その端部は柱ヘッドを有し、滑動部材内部の横向きの滑道に嵌入されることによって、滑動部材は柱ヘッドを接点として左右に滑動でき、滑動部材の前端および／または後端はそれぞれ装飾物および／または薄型平面テレビと固定でき、装飾物および薄型平面テレビの前後位置の調整に便利になっていることを特徴とする支持機構である。
【００１５】
請求項１０の考案は、支持アームはＬ型であることを特徴とする請求項８記載の支持機構である。
【００１６】
請求項１１の考案は、装飾物は芸術品であることを特徴とする請求項９記載の支持機構である。
【００１７】
請求項１２の考案は、芸術品は、額縁、絵またはその他の鑑賞用の芸術品であることを特徴とする請求項１１記載の支持機構である。
【考案の効果】
【００１８】
本考案の薄型平面テレビの装飾装置は、装飾物と支持機構とを合わせることによって、薄型平面テレビを好適に覆い隠すことができ、薄型平面テレビの使用に影響を与えることもなく、装飾物は絵画や鑑賞用の芸術品または室内装飾とつり合った図案などとすることができ、操作も簡単で、薄型平面テレビを美しく装飾できる。
【考案を実施するための最良の形態】
【００１９】
本考案の詳細な構造、応用原理、作用および効果を説明する実施例を図に沿って下記に示す。
【００２０】
図１、２に示すように、本実施例の薄型平面テレビの装飾美化装置は、薄型平面テレビ３を覆い隠す装飾物１と、装飾物１を適当に移動させる支持機構２とからなる。図に示すように、装飾物１は額縁などの美観性を有する芸術品である。支持機構２はＬ型の支持アーム２１および滑動部材２２を有し、Ｌ型の支持アーム２１の一端は固定板２３と接続され、壁面に固定される。Ｌ型の支持アーム２１の他端は上向きに直立した柱ヘッド２４が形成され、滑動部材２２内部の横向きの滑道２５に嵌入されることによって、滑動部材２２は柱ヘッド２４を接点として左右に滑動できる。滑動部材２２の前後端はそれぞれ装飾物１および薄型平面テレビ３の背面と固定される。
【００２１】
図３に示すように、実施時は先ず、装飾物１、滑動部材２２および薄型平面テレビ３を一体に組立てる。滑動部材２２は柱ヘッド２４を接点として左右に滑動できるので、装飾物１および薄型平面テレビ３を同時に反転させるとき、先ず、図に示すように、装飾物１および薄型平面テレビ３を左端または右端まで滑動させ、その後図４に示すように反転させ、装飾物１および薄型平面テレビ３の前後位置を調整し、図５に示すように装飾物１および薄型平面テレビ３を柱ヘッド２４が中央位置になるように移動させると、図６に示すように装飾物１および薄型平面テレビ３の位置調整ができる。
【００２２】
図７、８、９に示すように、支持機構は、装飾物１および薄型平面テレビ３両側の懸垂アームとすることもできる。装飾物１および薄型平面テレビ３を予め一体に組立て、使用者が必要なときに装飾物１および薄型平面テレビ３の前後位置を調整でき、薄型平面テレビ３に装飾効果を与えることができる。
【００２３】
図１０、１１、１２に示すように、支持機構は、薄型平面テレビ３上端および後端の逆Ｌ型支持フレーム５とすることもできる。逆Ｌ型支持フレーム５の中央には滑道５１が形成され、装飾物１は両側に設けられたボルト６１によって、滑道５１上で滑動でき、薄型平面テレビ３の前方または後方へ移動させることができる。
【００２４】
図１３、１４に示すように、装飾物１を内部に空間を有する薄型平面テレビ画面よりもやや大きい枠体とすることもできる。内部上端には巻き絵６２が設けられ、巻き絵６２によって装飾物を移動させなくても薄型平面テレビを美しく装飾できる。
【００２５】
図１５示すように、前述の支持機構に合わせて薄型平面テレビ３の底端に滑動レール３１を設置でき、薄型平面テレビ３を必要に応じて前後に移動でき、空間を十分に利用して装飾物１を薄型平面テレビ３の前面または背面に移動でき、有効的に壁面との距離を短くできる。
【００２６】
図１６に示すように、支持機構は、薄型平面テレビ３上端両側に設置された上部支持フレームとすることもできる。上部支持フレーム７１内には滑動溝７１１が設けられ、装飾物１はボルト１１によって滑動溝７１１内に嵌設され、上部支持フレーム７１に垂設された形態となる。装飾物１両側とボルト１１とが接触する側辺には長く溝１２が設けられている。装飾物１の位置を変更するとき、図１７に示すように、装飾物１をボルトを支点として上部に引き上げ、装飾物１およびボルト１１を一緒に滑動溝７１１に沿って薄型平面テレビ３の後方まで移動させ、その後装飾物１をボルト１１を支点として下方に倒すと、図１８に示すように、装飾物１を薄型平面テレビ３の後方に移動できる。
【００２７】
図１９に示すように、装飾物１は薄型平面テレビ３の後方に置かなくてもよく、装飾物１を上部支持フレーム７１を支点として水平状態にし、壁面方向に少し移動させると、装飾物１を薄型平面テレビ３の上部に設置した形態となる。
【００２８】
図２０に示すように、支持機構は、薄型平面テレビ３の底端両側の下部滑動溝７２とすることもできる。装飾物１上端のボルトを緩めると、底面に水平に設置できる。
【００２９】
以上のことから分かるように、本考案の薄型平面テレビ３の装飾装置は、装飾物１と支持機構２とを合わせることによって、薄型平面テレビを好適に覆い隠すことができ、薄型平面テレビの使用に影響を与えることもない。装飾物１は絵画や鑑賞用の芸術品または室内装飾とつり合った図案などとすることができ、操作も簡単で、薄型平面テレビ３を美しく装飾できる。
【００３０】
上述の説明は本考案の具体的な実施例を示すものであり、本考案の主旨を逸脱しない範囲における変更などは全て本考案に含まれる。
【図面の簡単な説明】
【００３１】
【図１】本考案の第１の実施例を示す立体分解図である。
【図２】本考案の第１の実施例の組立後の状態を示す斜視図である。
【図３】本考案の第１の実施例の操作中の状態を示す第１の斜視図である。
【図４】本考案の第１の実施例の操作中の状態を示す第２の斜視図である。
【図５】本考案の第１の実施例の操作中の状態を示す第３の斜視図である。
【図６】本考案の第１の実施例の操作完了後の状態を示す第４の斜視図である。
【図７】本考案の第２の実施例を示す斜視図である。
【図８】本考案の第２の実施例の操作中の状態を示す斜視図である。
【図９】本考案の第２の実施例の操作完了後の状態を示す斜視図である。
【図１０】本考案の第３の実施例を示す立体分解図である。
【図１１】本考案の第３の実施例の組立後の様子を示す斜視図である。
【図１２】本考案の第３の実施例の使用状態を示す斜視図である。
【図１３】本考案の第４の実施例を示す立体分解図である。
【図１４】本考案の第４の実施例の操作中の状態を示す斜視図である。
【図１５】本考案の第５の実施例を示す斜視図である。
【図１６】本考案の第６の実施例を示す斜視図および側面図である。
【図１７】本考案の第６の実施例の操作中の状態を示す斜視図および側面図である。
【図１８】本考案の第６の実施例の動作完了後の状態を示す斜視図および側面図である。
【図１９】本考案の第７の実施例の操作中の状態を示す斜視図および操作完了後の状態を示す側面図である。
【図２０】本考案の第８の実施例の操作中の状態を示す斜視図および操作完了後の状態を示す側面図である。
【符号の説明】
【００３２】
１    装飾物
１１  ボルト
１２  溝
２    支持機構
２１  Ｌ型支持アーム
２２  滑動部材
２３  固定板
２４  柱ヘッド
２５  滑道
３    薄型平面テレビ
３１  滑動レール
４    懸垂アーム
５    逆Ｌ型支持アーム
５１  滑道
６１  ボルト
６２  巻き絵
７１  上部支持フレーム
７１１滑動溝
７２  下部滑動溝
【図１】
0003115113.tif 000003
【図２】
0003115113.tif 000004
【図３】
0003115113.tif 000005
【図４】
0003115113.tif 000006
【図５】
0003115113.tif 000007
【図６】
0003115113.tif 000008
【図７】
0003115113.tif 000009
【図８】
0003115113.tif 000010
【図９】
0003115113.tif 000011
【図１０】
0003115113.tif 000012
【図１１】
0003115113.tif 000013
【図１２】
0003115113.tif 000014
【図１３】
0003115113.tif 000015
【図１４】
0003115113.tif 000016
【図１５】
0003115113.tif 000017
【図１６】
0003115113.tif 000018
【図１７】
0003115113.tif 000019
【図１８】
0003115113.tif 000020
【図１９】
0003115113.tif 000021
【図２０】
0003115113.tif 000022